【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】
【請求項１】  原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、
前記導電膜処理又は低摩擦処理が施された原稿搬送部ガラスの分光透過率が前記原稿載置ガラスの分光透過率よりも小さく、
前記第一の読取ステップにおける前記原稿の画像情報を読み取るカラーラインセンサーの各色に対応した各色ラインセンサーにかけられる第一のゲイン量を前記第二の読取ステップにおける前記原稿の画像情報を読み取るカラーラインセンサーの各色に対応した各色ラインセンサーにかけられる第二のゲイン量より大きくする信号補正処理を行うことを特徴とする画像読取方法。
【請求項２】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、
前記第一の読取手段によって信号読取を行う第一の読取ステップにおける前記原稿の画像情報を読み取るカラーラインセンサーの各色に対応した各色ラインセンサーにかけられる第一のゲイン量を前記第二の読取手段によって信号読取を行う第二の読取ステップにおける前記原稿の画像情報を読み取るカラーラインセンサーの各色に対応した各色ラインセンサーにかけられる第二のゲイン量より大きくする信号補正処理を行う信号補正処理手段を設けたことを特徴とする画像読取装置。
【請求項３】  原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、
前記導電膜処理又は低摩擦処理が施された原稿搬送部ガラスの分光透過率が前記原稿載置ガラスの分光透過率よりも小さく、
前記第一の読取ステップにおけるシェーディング補正に使用するシューディング基準部材から得られる第一のシェーディング値を前記第二の読取ステップにおけるシェーディング補正に使用するシューディング基準部材から得られる第二のシェーディング値より小さくする信号補正処理を行うことを特徴とする画像読取方法。
【請求項４】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、
前記第一の読取手段によって信号読取を行う第一の読取ステップにおけるシェーディング補正に使用するシューディング基準部材から得られる第一のシェーディング値を前記第二の読取手段によって信号読取を行う第二の読取ステップにおけるシェーディング補正に使用するシューディング基準部材から得られる第二のシェーディング値より小さくする信号補正処理を行う信号補正処理手段を設けたことを特徴とする画像読取装置。
【請求項５】  原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、
前記導電膜処理又は低摩擦処理が施された原稿搬送部ガラスの分光透過率が前記原稿載置ガラスの分光透過率よりも小さく、
前記原稿搬送部ガラスの分光透過率と前記原稿載置ガラスの分光透過率との差を打ち消すように、前記第一の読取ステップにおける色処理の第一の値及び前記第二の読取ステップにおける色処理の第二の値を決定する信号補正処理を行うことを特徴とする画像読取方法。
【請求項６】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、
前記原稿搬送部ガラスの分光透過率と前記原稿載置ガラスの分光透過率との差を打ち消すように、前記第一の読取手段によって信号読取を行う第一の読取ステップにおける色処理の第一の値及び前記第二の読取手段によって信号読取を行う第二の読取ステップにおける色処理の第二の値を決定する信号補正処理を行う信号補正処理手段を設けたことを特徴とする画像読取装置。
【請求項７】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、
前記第一の読取手段によって信号読取を行う第一の読取ステップにおける前記原稿の画像情報を読み取るカラーラインセンサーの各色に対応した各色ラインセンサーにかけられる第一のゲイン量を前記第二の読取手段によって信号読取を行う第二の読取ステップにおける前記原稿の画像情報を読み取るカラーラインセンサーの各色に対応した各色ラインセンサーにかけられる第二のゲイン量より大きくする信号補正処理を行う信号補正処理手段を実行させることを特徴とするプログラム。
【請求項８】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、
前記第一の読取手段によって信号読取を行う第一の読取ステップにおけるシェーディング補正に使用するシューディング基準部材から得られる第一のシェーディング値を前記第二の読取手段によって信号読取を行う第二の読取ステップにおけるシェーディング補正に使用するシューディング基準部材から得られる第二のシェーディング値より小さくする信号補正処理を行う信号補正処理手段を実行することを特徴とするプログラム。
【請求項９】  原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、
前記原稿搬送部ガラスの分光透過率と前記原稿載置ガラスの分光透過率との差を打ち消すように、前記第一の読取手段によって信号読取を行う第一の読取ステップにおける色処理の第一の値及び前記第二の読取手段によって信号読取を行う第二の読取ステップにおける色処理の第二の値を決定する信号補正処理を行う信号補正処理手段を実行することを特徴とするプログラム。
【請求項１０】  請求項７に記載のプログラムを格納したことを特徴とするコンピュータで読み取り可能な記憶媒体。
【請求項１１】  請求項８に記載のプログラムを格納したことを特徴とするコンピュータで読み取り可能な記憶媒体。
【請求項１２】  請求項９に記載のプログラムを格納したことを特徴とするコンピュータで読み取り可能な記憶媒体。
【手続補正２】
【補正対象書類名】明細書
【補正対象項目名】００２２
【補正方法】変更
【補正の内容】
【００２２】
【課題を解決するための手段】
上記目的を達成するため、請求項１に記載の画像読取方法は、原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、前記導電膜処理又は低摩擦処理が施された原稿搬送部ガラスの分光透過率が前記原稿載置ガラスの分光透過率よりも小さく、前記第一の読取ステップにおける前記原稿の画像情報を読み取るカラーラインセンサーの各色に対応した各色ラインセンサーにかけられる第一のゲイン量を前記第二の読取ステップにおける前記原稿の画像情報を読み取るカラーラインセンサーの各色に対応した各色ラインセンサーにかけられる第二のゲイン量より大きくする信号補正処理を行うことを特徴とする。
【手続補正３】
【補正対象書類名】明細書
【補正対象項目名】００２３
【補正方法】変更
【補正の内容】
【００２３】
また、上記目的を達成するため、請求項２に記載の画像読取装置は、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、前記第一の読取手段によって信号読取を行う第一の読取ステップにおける前記原稿の画像情報を読み取るカラーラインセンサーの各色に対応した各色ラインセンサーにかけられる第一のゲイン量を前記第二の読取手段によって信号読取を行う第二の読取ステップにおける前記原稿の画像情報を読み取るカラーラインセンサーの各色に対応した各色ラインセンサーにかけられる第二のゲイン量より大きくする信号補正処理を行う信号補正処理手段を設けたことを特徴とする。
【手続補正４】
【補正対象書類名】明細書
【補正対象項目名】００２４
【補正方法】変更
【補正の内容】
【００２４】
また、上記目的を達成するため、請求項３に記載の画像読取方法は、原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、前記導電膜処理又は低摩擦処理が施された原稿搬送部ガラスの分光透過率が前記原稿載置ガラスの分光透過率よりも小さく、前記第一の読取ステップにおけるシェーディング補正に使用するシューディング基準部材から得られる第一のシェーディング値を前記第二の読取ステップにおけるシェーディング補正に使用するシューディング基準部材から得られる第二のシェーディング値より小さくする信号補正処理を行うことを特徴とする。
【手続補正５】
【補正対象書類名】明細書
【補正対象項目名】００２５
【補正方法】変更
【補正の内容】
【００２５】
また、上記目的を達成するため、請求項４に記載の画像読取装置は、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、前記第一の読取手段によって信号読取を行う第一の読取ステップにおけるシェーディング補正に使用するシューディング基準部材から得られる第一のシェーディング値を前記第二の読取手段によって信号読取を行う第二の読取ステップにおけるシェーディング補正に使用するシューディング基準部材から得られる第二のシェーディング値より小さくする信号補正処理を行う信号補正処理手段を設けたことを特徴とする。
【手続補正６】
【補正対象書類名】明細書
【補正対象項目名】００２６
【補正方法】変更
【補正の内容】
【００２６】
また、上記目的を達成するため、請求項５に記載の画像読取方法は、原稿自動給紙装置で原稿を搬送しながら導電膜処理又は低摩擦処理が施された原稿搬送部ガラス上にて前記原稿の画像情報を読み取る第一の読取ステップと、原稿を固定した状態で照明系及び結像系が前記原稿を走査して原稿載置ガラス上にて前記原稿の画像情報を読み取る第二の読取ステップとを有する画像読取方法であって、前記導電膜処理又は低摩擦処理が施された原稿搬送部ガラスの分光透過率が前記原稿載置ガラスの分光透過率よりも小さく、前記原稿搬送部ガラスの分光透過率と前記原稿載置ガラスの分光透過率との差を打ち消すように、前記第一の読取ステップにおける色処理の第一の値及び前記第二の読取ステップにおける色処理の第二の値を決定する信号補正処理を行うことを特徴とする。
【手続補正７】
【補正対象書類名】明細書
【補正対象項目名】００２７
【補正方法】変更
【補正の内容】
【００２７】
また、上記目的を達成するため、請求項６に記載の画像読取装置は、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置であって、前記原稿搬送部ガラスの分光透過率と前記原稿載置ガラスの分光透過率との差を打ち消すように、前記第一の読取手段によって信号読取を行う第一の読取ステップにおける色処理の第一の値及び前記第二の読取手段によって信号読取を行う第二の読取ステップにおける色処理の第二の値を決定する信号補正処理を行う信号補正処理手段を設けたことを特徴とする。
【手続補正８】
【補正対象書類名】明細書
【補正対象項目名】００２８
【補正方法】変更
【補正の内容】
【００２８】
また、上記目的を達成するため、請求項７に記載のプログラムは、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、前記第一の読取手段によって信号読取を行う第一の読取ステップにおける前記原稿の画像情報を読み取るカラーラインセンサーの各色に対応した各色ラインセンサーにかけられる第一のゲイン量を前記第二の読取手段によって信号読取を行う第二の読取ステップにおける前記原稿の画像情報を読み取るカラーラインセンサーの各色に対応した各色ラインセンサーにかけられる第二のゲイン量より大きくする信号補正処理を行う信号補正処理手段を実行させることを特徴とする。
【手続補正９】
【補正対象書類名】明細書
【補正対象項目名】００２９
【補正方法】変更
【補正の内容】
【００２９】
また、上記目的を達成するため、請求項８に記載のプログラムは、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、前記第一の読取手段によって信号読取を行う第一の読取ステップにおけるシェーディング補正に使用するシューディング基準部材から得られる第一のシェーディング値を前記第二の読取手段によって信号読取を行う第二の読取ステップにおけるシェーディング補正に使用するシューディング基準部材から得られる第二のシェーディング値より小さくする信号補正処理を行う信号補正処理手段を実行することを特徴とする。
【手続補正１０】
【補正対象書類名】明細書
【補正対象項目名】００３０
【補正方法】変更
【補正の内容】
【００３０】
また、上記目的を達成するため、請求項９に記載のプログラムは、原稿自動給紙装置で原稿を搬送しながら導電膜処理又は低摩擦処理が施された原稿搬送部ガラス上にて前記原稿の画像情報を読み取る第一の読取手段と、原稿を固定した状態で照明系及び結像系が前記原稿を走査して原稿載置ガラス上にて前記原稿の画像情報を読み取る第二の読取手段とを有する画像読取装置を制御するためのプログラムであって、前記原稿搬送部ガラスの分光透過率と前記原稿載置ガラスの分光透過率との差を打ち消すように、前記第一の読取手段によって信号読取を行う第一の読取ステップにおける色処理の第一の値及び前記第二の読取手段によって信号読取を行う第二の読取ステップにおける色処理の第二の値を決定する信号補正処理を行う信号補正処理手段を実行することを特徴とする。
【手続補正１１】
【補正対象書類名】明細書
【補正対象項目名】００３１
【補正方法】変更
【補正の内容】
【００３１】
また、上記目的を達成するため、請求項１０に記載の記憶媒体は、請求項７に記載のプログラムを格納したことを特徴とする。
【手続補正１２】
【補正対象書類名】明細書
【補正対象項目名】００３２
【補正方法】変更
【補正の内容】
【００３２】
また、上記目的を達成するため、請求項１１に記載の記憶媒体は、請求項８に記載のプログラムを格納したことを特徴とする。
【手続補正１３】
【補正対象書類名】明細書
【補正対象項目名】００３３
【補正方法】変更
【補正の内容】
【００３３】
また、上記目的を達成するため、請求項１２に記載の記憶媒体は、請求項９に記載のプログラムを格納したことを特徴とする。
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】